(57)【要約】【課題】塗布液を収容した容器に取り付けられるキャップ部上に、複数の板状櫛歯が起立し、該板状櫛歯の厚み方向に列設されている櫛付キャップにおいて、板状櫛歯からの容器側面への液だれを防止する。【解決手段】塗布液を収容した容器１に取り付けられるキャップ部２０と、キャップ部２０上に起立した複数の板状櫛歯３１が、該板状櫛歯３１の厚み方向に列設されてなる櫛歯部３０とからなる櫛付キャップ１０Ａであって、板状櫛歯３１が容器１の内部に連通する通液路３２を有し、通液路３２の一端が板状櫛歯３１の先端部において塗布液の吐出孔３３として開口し、隣り合う板状櫛歯３１間の櫛歯基面３７に、その中央部が板状櫛歯３１の縁部側に対して凹んだ液受け部３８が形成されている。【選択図】　　図１
2004016420.tif 000002
【特許請求の範囲】
【請求項１】
塗布液を収容した容器に取り付けられるキャップ部と、キャップ部上に起立した複数の板状櫛歯が、該板状櫛歯の厚み方向に列設されてなる櫛歯部とからなる櫛付キャップであって、
板状櫛歯が容器内部に連通する通液路を有し、通液路の一端が板状櫛歯の先端部において塗布液の吐出孔として開口し、
隣り合う板状櫛歯間の櫛歯基面に、その中央部が板状櫛歯の縁部側に対して凹んだ液受け部が形成されている櫛付キャップ。
【請求項２】
キャップ部の頂面に櫛歯部を囲む凸条が形成されている請求項１記載の櫛付キャップ。
【請求項３】
隣り合う板状櫛歯同士の対向面に、長手方向に延びたリブが形成されている請求項１記載の櫛付キャップ。
【請求項４】
請求項１〜３のいずれかに記載の櫛付キャップを、塗布液を収容した容器に装着した塗布用具。
【請求項５】
塗布液が、染毛剤又は毛髪脱色剤である請求項４記載の塗布用具。
【発明の詳細な説明】
【０００１】
【発明の属する技術分野】
本発明は、塗布液を収納した容器の口部に取り付けられ、その塗布に用いられる櫛付キャップと塗布用具に関する。
【０００２】
【従来の技術】
従来、ヘアカラー、ヘアマニュキュア等の毛髪染毛剤、毛髪脱色剤、スタイリング剤等の毛髪化粧料を毛髪に塗布する塗布用具として、図４に示すように、毛髪化粧料を収納したスクイズ容器１の口部２に取り付けられる櫛付キャップ１０Ｘが使用されている。
【０００３】
この櫛付キャップ１０Ｘは、スクイズ容器１の口部２に螺合するキャップ部２０と櫛歯部３０とからなり、櫛歯部３０は、キャップ部２０の頂面２１に起立した複数の板状櫛歯３１が、該板状櫛歯３１の厚み方向に列設されたものとなっている。同図（ｂ）に示したように、板状櫛歯３１には容器１の内部に連通する毛髪化粧料の通液路３２が形成されており、通液路３２の一端が板状櫛歯３１の先端部において毛髪化粧料の吐出孔３３として開口している。
【０００４】
この櫛付キャップ１０Ｘの使用時には、スクイズ容器１を倒立させて櫛歯部３０を毛髪に当て、容器１を押圧することにより吐出孔３３から毛髪化粧料を吐出させつつ、櫛歯部３０で毛髪を梳く。これにより、毛髪化粧料の吐出操作と塗布操作を同時にできるので、毛髪化粧料の毛髪への塗布を簡便に行うことが可能となる。
【０００５】
また、このような櫛付キャップにおいて、板状櫛歯３１の先端部における剤保持性を向上させるため、図５に示したように、吐出孔３３の開口面を板状櫛歯３１の長手方向に対して垂直とし、その吐出孔３３を挟むように一対の液溜片３４を形成し、それにより、一対の液溜片３４で挟まれた領域を液溜スペース３５とすることや、さらに図６に示したように、液溜スペース３５の幅方向の一方に、液溜片３４と平行になるように液垂防止片３６を設け、染毛作業中の染毛剤の液垂れを防止することが提案されている（特開２００１−１９０１５号公報）。
【０００６】
【発明が解決しようとする課題】
しかしながら、図５や図６に示したように、板状櫛歯３１に液溜スペース３５や液垂防止片３６を設けても、毛髪化粧料の塗布作業中に、一時的に櫛付きキャップをつけた容器を正立させておくと、板状櫛歯３１の表面に付着していた毛髪化粧料が容器１の側面に液だれし、そのために容器１を握る手や周囲が毛髪化粧料で汚れるという問題があった。
【０００７】
これに対し、本発明は、櫛付キャップを取り付けた容器を用いて毛髪化粧料その他の塗布液を塗布している間に、その容器を正立後しばらく放置した場合でも、板状櫛歯から容器側面へ液だれが生じないようにすることを目的とする。
【０００８】
【課題を解決するための手段】
本発明者は、キャップ部上に起立した複数の板状櫛歯が、該板状櫛歯の厚み方向に列設されている櫛付キャップにおいて、隣り合う板状櫛歯間の櫛歯基面に液受け部を設けると、その櫛付キャップを取り付けた容器で塗布液を塗布する間に、その容器を正立後しばらく放置しても、板状櫛歯表面に付着した塗布液は、専ら液受け部に溜まるので、容器側面への液だれを防止できること、さらに、液受け部に塗布液が溜まった後、再度その櫛付キャップを取り付けた容器で塗布液を塗布すると、液受け部に溜まった塗布液を毛髪等の被塗布体に塗布できるので、塗布液の無駄をなくせることを見出した。
【０００９】
即ち、本発明は、塗布液を収容した容器に取り付けられるキャップ部と、キャップ部上に起立した複数の板状櫛歯が、該板状櫛歯の厚み方向に列設されてなる櫛歯部とからなる櫛付キャップであって、
板状櫛歯が容器内部に連通する通液路を有し、通液路の一端が板状櫛歯の先端部において塗布液の吐出孔として開口し、
隣り合う板状櫛歯間の櫛歯基面に、その中央部が板状櫛歯の縁部側に対して凹んだ液受け部が形成されている櫛付キャップを提供する。
【００１０】
また、本発明は、上述の櫛付キャップを、塗布液を収容した容器に装着した塗布用具を提供する。
【００１１】
【発明の実施の形態】
以下、図面を参照しつつ、本発明を詳細に説明する。なお、各図中、同一符号は同一又は同等の構成要素を表している。
【００１２】
図１（ａ）は、本発明の一実施例の櫛付キャップ１０Ａをスクイズ容器１に取り付けた本発明の一実施例の塗布用具の部分斜視図であり、同図（ｂ）、（ｃ）はそれぞれ櫛付キャップ１０Ａの断面図である。
【００１３】
この櫛付キャップ１０Ａは、スクイズ容器等の塗布液を収容した容器１の口部に螺合により取り付けられるキャップ部２０と、キャップ部２０の頂面２１上に起立した複数の板状櫛歯３１が、該板状櫛歯３１の厚み方向に列設されている櫛歯部３０からなっている。
【００１４】
なお、本発明において板状櫛歯とは、図１（ａ）に示すように、その厚みに比べて幅方向の面積が十分に大きい平板状の高剛性材料からなる櫛歯をいう。
【００１５】
この板状櫛歯３１には、容器１の内部に連通する、塗布液の通液路３２が形成されている。通液路３２の一端は板状櫛歯３１の先端部において塗布液の吐出孔３３として開口しており、その開口面は板状櫛歯３１の長手方向に対して平行となっている。このように吐出孔３３を、隣合う板状櫛歯３１の対向面に形成することにより、毛髪等の被塗布体を板状櫛歯３１で梳いた場合に、塗布液を効率よく被塗布体に付着させることができ、また、塗布している間に容器１を一時的に正立させた場合に、板状櫛歯３１に付着していた塗布液を液受け部３８に効率よく溜めることができる。
【００１６】
液受け部は、この櫛付キャップ１０Ａの特徴的構成であり、隣り合う板状櫛歯３１間の櫛歯基面３７において、その中央部を板状櫛歯３１の縁部側に対して凹ませたものである。これにより、櫛付キャップ１０Ａを取り付けた容器１で塗布液を塗布する間に、一時的にその容器１を正立後しばらく放置しても、板状櫛歯３１の表面に付着した塗布液は矢印Ｐのように液受け部３８に溜まるので、容器１の側面への液だれを防止することができる。さらに、液受け部３８に塗布液が溜まった後、再度この櫛付キャップ１０Ａを用いて塗布液を塗布すると、液受け部３８に溜まった塗布液を毛髪等の被塗布体に塗布できるので、塗布液の無駄をなくすことができる。
【００１７】
ここで、キャップ部２０の頂面２１からの板状櫛歯３１の高さＬ１　を３０〜４０ｍｍとする場合に、液受け部３８の側壁３９のキャップ部２０の頂面２１からの高さＬ２　は１０〜２０ｍｍ、液受け部３８の深さＬ３　は３〜１０ｍｍとすることが、液だれを防止し、かつ櫛通りをよくする点から好ましい。液受け部３８の深さＬ３　が浅すぎると液だれを有効に防止することができず、反対に深すぎると溜まった塗布液が排出されにくくなるおそれがある。また、液受け部３８の側壁３９の高さＬ２　が高すぎるとＬ１　−Ｌ２　で求められる櫛歯先端部の長さが短くなり、毛髪をすいたり、かき分けたりする櫛としての機能が低下し、反対に低すぎると液受け部３８の深さＬ３　を十分に確保することができない。
【００１８】
なお、板状櫛歯３１の中央部の幅Ｌ４　、厚みＬ５　、間隔Ｌ６　には特に制限はなく、例えば、幅Ｌ４　１０〜２０ｍｍ、厚みＬ５　１〜３ｍｍ、間隔Ｌ６　１〜３ｍｍとする。
【００１９】
また、この櫛付キャップ１０Ａのキャップ部２０の頂面２１には、櫛歯部３０を囲む高さＬ７　１〜５ｍｍの凸条２２が形成されている。この凸条２２が無い場合には、板状櫛歯３１の縁辺を矢印Ｑのようにつたう少量の液だれが容器１の側面にまでつたうことを防止できないが、この凸条２２を設けることにより、かかる液だれが容器１の側面につたうことを防止できる。
【００２０】
図２（ａ）は、異なる態様の本発明の実施例の櫛付キャップ１０Ｂの斜視図であり、同図（ｂ）、（ｃ）はそれぞれ櫛付キャップ１０Ｂの断面図である。また、図３は、この櫛付キャップ１０Ｂの櫛歯部３０を形成する一つの板状櫛歯３１の斜視図である。
【００２１】
この櫛付キャップ１０Ｂは、図３に示したように、吐出孔３３よりも先端側の領域において板状櫛歯部３１が肉薄になっており、吐出孔３３は、板状櫛歯３１の長手方向と垂直な開口面を有している。
【００２２】
また、図２、図３に示したように、隣り合う板状櫛歯３１同士の対向面に、長手方向に延びたリブ４０が形成されている。このリブ４０により板状櫛歯３１の表面積が増加し、板状櫛歯３１間の剤保持性が向上するので、塗布液を毛髪等の被塗布体へ十分に延ばして均一に塗布することが容易となる。また、容器１を正立させた場合に、このリブ４０により、板状櫛歯３１の表面に付着した塗布液を効率よく液受け部３８に誘導することが可能となる。
【００２３】
なお、このようなリブ４０を形成する場合、この櫛付キャップ１０Ｂを樹脂成型する際の金型構造としては、図３に矢印で示したように上下分割するものを使用することが好ましい。
【００２４】
本発明の櫛付キャップを装着する容器１は、塗布液を収納でき、櫛付キャップを装着できればよく、例えば、合成樹脂製スクイズ容器とすることができる。
【００２５】
本発明の櫛付キャップを用いて塗布する塗布液の種類は、通液路３２を通して吐出孔３３から吐出させることができる粘度の液剤であれば特に限定されず、人毛あるいは獣毛に適用する種々のヘアカラー、ヘアマニュキュア等の染毛剤、毛髪脱色剤、シャンプー、リンス、トリートメント、スタイリング剤等の化粧料、犬や猫等の獣毛あるいは表皮に塗布する蚤取り剤等の薬液、天然あるいは合成の糸束あるいは房状製品の染色液、脱色液、マスキング液などの塗布に使用することができる。
【００２６】
特に、染毛剤又は毛髪脱色剤の塗布に用いると、それらが容器の側面に液だれすることを液受け部３８で防止し、周囲が不要に染色あるいは脱色されることを防止できるので好ましい。したがって、染毛剤又は毛髪脱色剤を収容した容器に本発明の櫛付キャップを装着した本発明の塗布用具は、毛髪化粧料製品として使い勝手がよく、製品価値の高いものとなる。
【００２７】
【発明の効果】
本発明に櫛付キャップによれば、櫛付キャップを取り付けた容器を用いて塗布液を塗布している間に、容器を正立後しばらく放置しておいた場合でも、板状櫛歯から容器側面への液だれを防止することができる。
【図面の簡単な説明】
【図１】実施例の櫛付キャップをスクイズ容器に取り付けた実施例の塗布用具の部分斜視図（ａ）及び断面図（ｂ）、（ｃ）である。
【図２】実施例の櫛付キャップの斜視図（ａ）及び断面図（ｂ）、（ｃ）である。
【図３】実施例の櫛付キャップの板状櫛歯の斜視図である。
【図４】従来の櫛付キャップを取り付けた塗布用具の斜視図（ａ）及び断面図（ｂ）である。
【図５】従来の櫛付キャップの板状櫛歯の斜視図（ａ）、断面図（ｂ）、及び部分断面図（ｃ）である。
【図６】従来の櫛付キャップの板状櫛歯の斜視図である。
【符号の説明】
１　　スクイズ容器又は容器
２　　口部
１０Ａ、１０Ｂ　実施例の櫛付キャップ
２０　　キャップ部
２１　　頂面
２２　　凸条
３０　　櫛歯部
３１　　板状櫛歯
３２　　通液路
３３　　吐出孔
３７　　櫛歯基面
３８　　液受け部
３９　　側壁
４０　　リブ
【図１】
2004016420.tif 000003
【図２】
2004016420.tif 000004
【図３】
2004016420.tif 000005
【図４】
2004016420.tif 000006
【図５】
2004016420.tif 000007
【図６】
2004016420.tif 000008